(57)【要約】      （修正有）【課題】多種の異なる設計形態のランプを接合し、外向きに投射させ、多元化した投射の効果を達成させるランプブラケット構造を提供する。【解決手段】ランプブラケット構造は、ランプブラケット装置及び伸縮装置６を含む。ランプブラケット装置は、中空かつ錘状を呈し、上部に収容溝１０を、内部に接合部１１を、底面に接合孔１２を有する。伸縮装置６は、接合孔１２を介し接合部１１に接合し、上から下へ順に導電体６０、リベット部６１、伸縮ロッド６２、連結部６３及びランプソケット６４を有する。導電体６０は、一端が接合部１１に接合し、他端がリベット部６１からランプソケット６４に貫通する第２電気ケーブル６５に接続する。【選択図】図１
0003177211.tif 000002
【実用新案登録請求の範囲】
【請求項１】
ランプブラケット装置及び少なくとも１つの伸縮装置を含み、
前記ランプブラケット装置は、中空状且つ錘状形態を呈する構造であり、ランプブラケット装置上面に収容溝を設け、及びランプブラケット装置内部に凸設する少なくとも１つの接合部を設置し、接合部が第１電気ケーブルに接続し、ランプブラケット装置底面に接合部に相対し、接合孔を設置し、そのうち、ランプブラケット装置外部及び内部に相互に鎖設され且つ収容溝を覆うロック固定部及びロック結合部をそれぞれ設置し、
前記少なくとも１つの伸縮装置は、接合孔を介し、接合部に接合し、伸縮装置は、上から下へ順に導電体、リベット部、伸縮ロッド、連結部およびランプソケットを接続し、導電体の一端が接合部に接合し、導電体の他端がリベット部、伸縮ロッド、連結部およびランプソケット内に貫通設置できる第２電気ケーブルを接続し、伸縮ロッドは、伸縮部材及び伸縮部材の一端に嵌め込む偏心部を含み、偏心部の端縁に偏心軸部材を設け、偏心軸部材に偏心環を巻き付け、偏心環外壁及び伸縮部材内壁を互いに貼合させ、そのうち、偏心軸部材に係止部を設置し、偏心環が係止部と互いに嵌合する嵌合部を設置し、連結部一端が偏心部他端と互いに接続し、連結部他端にランプソケット一端を嵌合させ、ランプソケット内部にねじ山部を設置するランプブラケット構造。
【請求項２】
前記ランプブラケット装置が金属製材質であり、且つ表面に化学薄膜又は水性クリヤラッカーを塗布し、接合孔が２つ以上である時、円形に囲う方式でランプブラケット装置底面に等間隔に設置される請求項１に記載のランプブラケット構造。
【請求項３】
前記伸縮装置のランプソケットは、導電装置、発光装置及び透光装置を含むランプを連結することができ、導電装置は、第２電気ケーブルと電気接続し、且つランプソケットのねじ山部に設けられる導電部を含み、且つ導電部が第３電気ケーブルに接続し、導電部下縁に上蓋体を貫通設置し、固定ソケット上に接続し、上蓋体周縁にマスク体を接続し、前記固定ソケット下方に第３電気ケーブルと電気接続する駆動装置を接続し、駆動装置に温度制御部材を設置し、発光装置がマスク体内に設置され、上から下へ順に接続する固定部材、導熱板、駆動装置と電気接続する発光装置、光学膜及び内蓋体を含み、透光装置が上から下へ順に設置する少なくとも１つの光学膜及び下蓋体を含み、下蓋体周縁をマスク体の底部周縁に固定し、発光装置及び透光装置の光学膜をマスク体及び下蓋体の間に嵌合する請求項１に記載のランプブラケット構造。
【請求項４】
前記マスク体がアルミ製材質であり、且つ上蓋体及びマスク体の間、マスク体及び下蓋体の間に防水パッドリングを設置し、リベット部、連結部、固定ソケット、固定部材及び下蓋体が真空成形される請求項３に記載のランプブラケット構造。
【請求項５】
前記伸縮装置のランプブラケットは、導電装置、発光装置及び透光装置を含むランプを連結することができ、導電装置は、第２電気ケーブルと電気接続し、ランプソケットのねじ山部に設けられる導電部を含み、且つ導電部が第４電気ケーブルに接続し、導電部下縁に順に固定ソケット及び上蓋体を貫通設置し、上蓋体周縁にマスク体を連接し、前記上蓋体下方に第４電気ケーブルと電気接続する駆動装置を接続し、駆動装置に温度制御部材を設置し、発光装置がマスク体内に設置され、駆動装置と電気接続する発光部材及び固定部材を含み、透光装置がマスク体の底部周縁に設置され、発光部材及び固定部材をマスク体及び透光装置の間に固定する請求項１に記載のランプブラケット構造。
【請求項６】
前記マスク体がアルミ製材質であり、リベット部及び連結部が真空成形される請求項５に記載のランプブラケット構造。
【請求項７】
前記伸縮装置のランプソケットは、導電装置、発光装置及び透光装置を含むランプを連結することができ、導電装置は、第２電気ケーブルと電気接続し、且つランプソケットのねじ山部に設けられる導電部を含み、且つ導電部が第５電気ケーブルに接続し、導電部下縁に上蓋体を貫通設置し、第５電気ケーブルを介し、駆動装置と電気接続し、駆動装置に温度制御部材を設置し、上蓋体周縁の内から外へ順に内マスク体及び外マスク体を接続し、発光装置が外マスク体内に設置され、発光部材及びそれぞれ発光部材及び駆動装置と電気接続する第６電気ケーブルを含み、そのうち、発光部材が光学膜に設けられ、透光装置が上から下へ順に設置する少なくとも１つの光学膜及び下蓋体を含み、下蓋体周縁をマスク体の底部周縁に固定し、発光装置及び透光装置の光学膜を発光部材及び下蓋体の間に嵌合する請求項１に記載のランプブラケット構造。
【請求項８】
前記外マスク体がアルミ製材質であり、且つ外マスク体及び下蓋体の間に防水パッドリングを設置し、リベット部、連結部、上蓋体及び下蓋体が真空成形される請求項７に記載のランプブラケット構造。
【請求項９】
前記伸縮装置のランプソケットが、導電装置、発光装置及び透光装置を含むランプに連結でき、導電装置が第２電気ケーブルと電気接続し且つランプソケットのねじ山部に設けられる導電部を含み、且つ導電部が第７電気ケーブルに接続し、導電部下縁が固定ソケット上に設置され、第７電気ケーブルが固定ソケット内に貫通設置され且つ駆動装置を電気接続し、駆動装置に温度制御部材を設置し、発光装置がマスク体と、マスク体一端に接続し、駆動装置と電気接続する発光部材と、を含み、そのうち、マスク体外部に上蓋体を設置し、上蓋体及び発光部材の間に光学膜を設置し、透光装置が上から下へ順に設置される絶縁体、導熱板、少なくとも１つの光学膜及び下蓋体を含み、下蓋体周縁を発光部材周縁箇所に固定し、絶縁板、導熱板及び透光装置の光学膜を発光部材及び下蓋体の間に嵌合する請求項１に記載のランプブラケット構造。
【請求項１０】
前記マスク体がアルミ製材質であり、且つリベット部、連結部、固定部材、上蓋体及び下蓋体が真空成形される請求項９に記載のランプブラケット構造。
【考案の詳細な説明】
【技術分野】
【０００１】
本考案は、ランプブラケット装置及び伸縮装置を結合し、多種規格の投射ランプを組み合わせることができ、投射ランプに適当な角度と距離で外向きに光線を投射させるランプブラケット構造に関する。
【背景技術】
【０００２】
近年より、温室効果が世界の気候に影響を及ぼし、各地の気候に異常変化を発生させているが、台湾は、島国であり、夏季に至るとしばしば雨が降り、街灯が風雨にさらされ、損壊率が上昇する。
【０００３】
従来、照明ランプとブラケットを組み合わせた街灯などに使用可能な照明装置として、例えば特許文献１，特許文献２に開示されているものがある。
【先行技術文献】
【特許文献】
【０００４】
【特許文献１】特表２０１２−５０２４３９号公報
【特許文献２】特表２０１０−５３４９０８号公報
【考案の概要】
【考案が解決しようとする課題】
【０００５】
現在、社会は、益々都市の美化を重視し、従来の単調な外形の街灯は、美化の効果を達成することができなくなっている。また、現代人は、徐々に運動を重視するようになり、しばしば夕方の空き時間を利用し、運動しているが、夕方に運動した後、通常空が暗くなり、従来の街灯照明の範囲が良好でなく、明るさが十分でないので、夜の活動が明るさの不足により視界が不良になり、事故、傷害を招く深刻な事態を生ずる虞がある。また、街灯の投射範囲が良好でなく、輝度が不十分であるので、光線が不足する箇所が往々にして治安の死角となる。  
本考案の目的は、多種の異なる設計形態のランプを接合し、該ランプは、実施方式中に明記しておき、ランプに適当な角度で外向きに光線を投射させ、多元化した投射の効果を達成させることができるランプブラケット構造を提供することである。
【課題を解決するための手段】
【０００６】
本考案のランプブラケット構造は、ランプブラケット装置及び少なくとも１つの伸縮装置を含む。
【０００７】
ランプブラケット装置は、中空錘状形態を呈し、且つその金属表面は、化学薄膜又は水性クリヤラッカーを塗布し、ランプブラケット装置上面に収容溝を設け、及びランプブラケット装置内部に凸設する少なくとも１つの接合部を設置し、接合部が第１電気ケーブルに接続し、ランプブラケット装置底面に接合部に相対し且つ円形に囲う方式で等間隔に接合孔を設け、そのうち、ランプブラケット装置外部及び内部に相互に鎖設され且つ収容溝を覆うロック固定部及びロック結合部をそれぞれ設置する。
【０００８】
伸縮装置は、接合孔を介し、接合部に連結し、且つ上から下へ順に導電体、リベット部、伸縮ロッド、連結部およびランプソケットを接続し、導電体の一端が接合部に接合し、他端がリベット部、伸縮ロッド、連結部およびランプソケット内に貫通設置する第２電気ケーブルを接続する。伸縮ロッドは、伸縮部材及び伸縮部材の一端に嵌め込む偏心部を含み、偏心部の端縁に偏心軸部材を設け、偏心軸部材に偏心環を巻き付け、偏心環外壁及び伸縮部材内壁が互いに貼合し、そのうち、偏心軸部材に係止部を設置し、偏心環が係止部と互いに嵌合する嵌合部を設置し、連結部一端が偏心部他端と互いに接続し、連結部他端にランプソケットを嵌合させ、ランプソケット内部にねじ山部を設ける。
【０００９】
ランプブラケット装置は、複数の接合孔を介し、伸縮装置に接合し、伸縮ロッドの伸縮部材、偏心軸部材及び偏心環の互いに組み合わせを利用し、伸縮部材及び偏心軸部材の相対する回転により、係止部及び嵌合部を相互に嵌合させ、伸縮部材及び偏心部に相対した伸縮をさせる。使用者が伸縮部材及び偏心軸部材を反対方向に相対した回転を行う時、偏心軸部材及び偏心環が偏心を発生し、偏心環を伸縮部材内壁に緊密に貼合し、固定させる。
【考案の効果】
【００１０】
伸縮装置のランプソケットは、多種の異なる設計形態のランプを接合し、該ランプは、実施方式中に明記しておき、ランプに適当な角度で外向きに光線を投射させ、多元化した投射の効果を達成させることができる。
【図面の簡単な説明】
【００１１】
【図１】実施例１のランプブラケット構造の取り付け説明図である。
【図２】実施例１の伸縮装置の組み合わせ説明図である。
【図３】実施例２のランプブラケット構造の取り付け説明図である。
【図４】実施例２の伸縮装置の組み合わせ説明図である。
【図５】係止部及び嵌合部の嵌合説明図である。
【図６】伸縮ロッドの伸縮実施の説明図１である。
【図７】伸縮ロッドの伸縮実施の説明図２である。
【図８】伸縮部材及び偏心環の貼合の説明図である。
【図９】実施例３のランプの取り付け説明図である。
【図１０】実施例４のランプの取り付け説明図である。
【図１１】実施例５のランプの取り付け説明図である。
【図１２】実施例６のランプの取り付け説明図である。
【図１３】本考案を街灯に応用した説明図である。
【図１４】実施例７の温度制御部材の回路説明図である。
【図１５】実施例８の伸縮装置の分解説明図である。
【図１６】実施例８の伸縮装置の組み合わせ説明図である。
【考案を実施するための形態】
【００１２】
図１〜図４を同時に参照する。本考案のランプブラケット構造１は、金属製材質であり、且つ中空形態を呈し、表面上に化学薄膜又は水性クリヤラッカーを塗布し、耐候性を具え、腐食を防止でき、絶縁であり、使用寿命を延長でき、ランプブラケット装置１上面上に収容溝１０を設け、及びランプブラケット装置１内部に凸設する複数の接合部１１(３つの接合部１１を好適実施例とする)を設置し、接合部１１が第１電気ケーブル１５に接続し、ランプブラケット装置１底面が内向きに傾斜する錘状斜面であり、且つ円形に囲う方式で等間隔に設置され且つ３つの接合部１１に互いに対応する３つの接合孔１２を設置し（各接合孔１２がそれぞれ３分の１の円角度を占める）、そのうち、ランプブラケット装置１外部及び内部は、互いに鎖設され、且つ収容溝１０を覆うロック固定部１３及びロック結合部１４をそれぞれ設置する。
【００１３】
伸縮装置６は、上から下へ、順に、導電体６０、リベット部６１、伸縮ロッド６２、連結部６３及びランプソケット６４を接続し、導電体６０の一端が接合部１１に接合し、他端がリベット部６１、伸縮ロッド６２、連結部６３及びランプソケット６４内に貫通設置される第２電気ケーブル６５に接続し、伸縮ロッド６２は、伸縮部材６２０及び伸縮部材６２０一端に嵌め込む偏心部６２１を含み、偏心部６２１端縁に偏心軸部材６２２を貫通設置し、偏心軸部材６２２は、偏心環６２３を巻き付け、偏心環６２３外壁を伸縮部材６２０内壁と互いに貼合させ、そのうち、偏心軸部材６２２に係止部６２２０を設置し、偏心環６２３が係止部６２２０と互いに嵌合する嵌合部６２３０を設置する。連結部６３一端が偏心部６２１の他端と互いに接続し、連結部６３の他端にランプソケット６４一端を嵌合させ、そのうち、ランプソケット６４内部にねじ山６４０を設置し（図２、図４では、１つ乃至３つのねじ山部６４０で説明する）、リベット部６１及び連結部６３は真空成形されており、生産効率を向上させる。
【００１４】
図５〜図７を同時に参照する。伸副部材６２０及び偏心軸部材６２２の相対する回転により（図５参照）、係止部６２２０を嵌合部６２３０と互いに嵌合させ（図６、図７亜参照）、偏心部材６２２及び偏心環６２３に偏心を発生させず、伸縮部材６２０及び偏心部６２１を相対して伸縮させる。
【００１５】
図８を参照し、伸縮部材６２０及び偏心軸部材６２２が反対方向に相対して回転した後、偏心軸部材６２２及び偏心環６２３が偏心を発生し、偏心環６２３を伸縮部材６２０内壁に緊密に貼合させ、伸縮部材６２０を偏心部６２１と互いに固定し、相対伸縮することができないようにする。
【００１６】
図９を参照する。伸縮装置６のランプソケット６４（１つのねじ山部６４０を好適実施例とする）は、ランプ２に接続することができ、以下を含む。
【００１７】
導電装置２０は、第２電気ケーブル６５と電気接続し、且つねじ山部６４０に螺設される導電部２００、及び第３電気ケーブル２０１を含み、導電部２００下縁箇所に上蓋体２０２を貫通設置し、且つ固定ソケット２０３を接続し、上蓋体２０２周縁にアルミ製材質のマスク体２０４を接続し、マスク体２０４は、重量が軽く、且つ硬度が高く、同時に絶縁、放熱効果を有し、固定ソケット２０３下方に第３電気ケーブル２０１と電気接続する駆動装置２０５を接続し、駆動装置２０５に温度制御部材２０５０を設置する。
【００１８】
発光装置２１は、マスク体２０４内に設置され、上から下へ順に接続する固定部材２１０、導熱板２１１、駆動装置２０５と電気接続する発光部材２１２、光学膜２１３及び内蓋体２１４を含む。
【００１９】
透光装置２２は、上から下へ順に設置する光学膜２２０，２２０’及び下蓋体２２１を含み、下蓋体２２１周縁をマスク体２０４底部周縁に固定し、発光装置２１及び光学膜２２０，２２０’をマスク体２０４及び下蓋体２２１の間に嵌合する。
【００２０】
従って、ランプ２では、第２電気ケーブル６５により、順に導電部２００、第３電気ケーブル２０１及び駆動装置２０５に電力供給し、発光部材２１２を発光させ、光線を順に光学膜２１３，２２０，２２０’に通過させ、凸状形態の下蓋体２２１が光線を散射し、伸縮装置６により、投射する光源の位置及び範囲を適切に調整でき、同時に導熱板２１１により放熱を行い、そのうち、光学膜２１３，２２０，２２０’は、反射グレアを隔絶することができる以外に、発光部材２１２の各一束の光線が光学膜２１３，２２０，２２０’上に均一に伝送され、照明及び眼が直接的眩しい光を授受するのを回避するよう保護する。
【００２１】
また、上蓋体２０２及びマスク体２０４の間及びマスク体２０４及び下蓋体２２１の間にそれぞれ防水パッドリング２３，２３’を設置し、浸水、灰塵の進入を防止し、使用寿命を向上する。固定ソケット２０３、固定部材２１０及び下蓋体２２１は、真空成形され、生産効率を大幅に向上させる。
【００２２】
図１０を参照する。伸縮装置６のランプソケット６４は、もう１種のランプ３を接続することができ、以下を含む。
【００２３】
導電装置３０は、第２電気ケーブル６５と電気接続し、且つランプソケット６４のねじ山部６４０に螺設される導電部３００、及び第４電気ケーブル３０１を含み、導電部３００下縁に順に固定ソケット３０２及び上蓋体３０３を貫通設置し、上蓋体３０３周縁は、アルミ材質のマスク体３０４を接続し、マスク体３０４の重量が軽く且つ硬度が高く、同時に絶縁、放熱効果を有し、そのうち、上蓋体３０３下方に第４電気ケーブル３０１と電気接続する駆動装置３０５を接続し、駆動装置３０５に温度制御部材３０５０を設置する。
【００２４】
発光装置３１は、マスク３０４内に設置され、駆動装置３０５と電気接続する発光部材３１０及び固定部材３１１を含む。
【００２５】
透光装置３２は、マスク体３０４の底部周縁に設置され、発光部材３１０及び固定部材３１１をマスク体３０４及び透光装置３２の間に固定する。
【００２６】
従って、ランプ３では、第２電気ケーブル６５により順に導電部３００、第４電気ケーブル３０１及び駆動装置３０５に電力供給し、発光部材３１０を発光させ、光線を散射し、伸縮装置６によりランプ３の投射する光源の位置及び範囲を適切に調整する。
【００２７】
図１１を参照する。伸縮装置６のランプソケット６４は、もう１種のランプ４を接続でき、以下を含む。
【００２８】
導電装置４０は、第２電気ケーブル６５と電気接続し、且つランプソケット６４のねじ山部６４０に螺設される導電部４００、及び第５電気ケーブル４０１を含み、導電部４００下縁に上蓋体４０２を貫通設置し、且つ第５電気ケーブル４０１を介し、駆動装置４０３と電気接続し、駆動装置４０３には温度制御部材４０３０を設置し、上蓋体４０２周縁に内から外へ順に内マスク体４０４（即ち、絶縁蓋）及び外マスク体４０５を接続し、そのうち、外マスク体４０５がアルミ製材質であり、重量が軽く、硬度が高く、且つ放熱効果を具えるだけでなく、その内マスク体４０４が同様に絶縁効果を有する。
【００２９】
発光装置４１は、外マスク体４０５内に設置され、発光部材４１０と、それぞれ発光部材４１０及び駆動装置４０３と電気接続する第６電気ケーブル４１１と、を含み、そのうち、発光部材４１０が光学膜４２０，４２０’内に設けられる。
【００３０】
透光装置４２は、上から下へ順に設置する光学膜４２０，４２０’及び下蓋体４２１を含み、下蓋体４２１周縁を外マスク体４０５底部周縁に固定し、光学膜４２０，４２０’を発光部材４１０及び下蓋体４２１の間に嵌合する。
【００３１】
従って、ランプ４では、第２電気ケーブル６５により、導電部４００、第５電気ケーブル４０１、駆動装置４０３に順に電力供給し、発光部材４１０を発光させ、光線を光学膜４２０及び下蓋体４２１に通過させ、光線を散射させ、伸縮装置６によりランプ４の投射する光源の位置及び範囲を適切に調整する。
【００３２】
外マスク体４０５及び下蓋体４２１の間に防水パッドリング４３を設置し、浸水、灰塵の進入を防止し、使用寿命を向上する。上蓋体４０２及び下蓋体４２１は真空成形され、生産効率を大幅に向上させる。
【００３３】
図１２を参照する。伸縮装置６のランプソケット６４は、もう１種のランプ５を接続でき、以下を含む。
【００３４】
導電装置５０は、第２電気ケーブル６５と電気接続し、且つランプソケット６４のねじ山部６４０に螺設される導電部５００、及び第７電気ケーブル５０１を含み、導電部５００下縁に固定ソケット５０２を貫通設置し、且つ第７電気ケーブル５０１を介し、駆動装置５０３と電気接続し、駆動装置５０３には温度制御部材５０３０を設置する。
【００３５】
発光装置５１は、マスク体５１０及びマスク体５１０に接続し、駆動装置５０３と電気接続する発光部材５１１を含み、そのうち、マスク体５１０外部に上蓋体５１２を設置し、上蓋体５１２及び発光部材５１１の間に光学膜５１３を設置する。マスク体５１０がアルミ製材質であり、重量が軽く、硬度が高いだけでなく、同時に絶縁、放熱効果を有する。
【００３６】
透光装置５２は、上から下へ順に設置する絶縁板５２０、導熱板５２１、光学膜５２２，５２２’及び下蓋体５２３を含み、下蓋体５２３周縁を発光部材５１１周縁に固定し、絶縁板５２０、導熱板５２１及び光学膜５２２，５２２’を発光部材５１１及び下蓋体５２３の間に嵌合する。
【００３７】
従って、ランプ５では、主に第２電気ケーブル６５により、導電部５００、第７電気ケーブル５０１に順に電力供給し、発光部材５１１に電力供給し、発光させ、そのうち、発光部材５１１が上下に発光し、光線を光学膜５１３及び光学膜５２２，５２２’を経由させ、それぞれ上蓋体５１２、下蓋体５２３に通過させ、光線を散射させ、伸縮装置６によりランプ２の投射する光源の位置及び範囲を適切に調整する。また、固定ソケット５０２、上蓋体５１２及び下蓋体５２３は真空成形され、生産効率を大幅に向上する。
【００３８】
図１３を参照し、ランプブラケット装置１の収容溝１０により、ランプブラケット装置1の支持構造７を安定支持し、ロック固定部１３及びロック結合部１４を利用し、支持構造７及び収容溝１０を挟み固定し、街灯構造を形成する。
【００３９】
図１４を参照するとともに、図９〜図１２を併せて参照し、ランプ２，３，４，５は、同一の温度制御部材２０５０，３０５０，４０３０，５０３０を有している。ここでは、ランプ２の温度制御部材２０５０のみを説明する。温度制御部材２０５０は、温度を自動検出し、駆動装置２０５を保護し、ランプ２の使用寿命を延長する。それは、以下のフローを循環し、各ステップの出力が安定した電源を提供する。
【００４０】
外部の交流/直流電源がヒューズを経た後、先ず交流電圧を整流倍圧回路８ｂに流し、交流電圧を直流電圧に交直変換し、整流後の直流電圧が変換回路８ｄに入力され、スイッチングトランジスタを利用し、スイッチングトランジスタに入力する電圧を所要の出力電圧に低減する。変換回路８ｄを経て降圧した後、電圧がフィルタ回路のフィルタインダクタ８ｅを経てフィルタリングされ、スイッチング時に生じるノイズが除去される。その後、フィルタコンデンサ８ｆを介し、フィルタリングを行い、出力電圧を更に平滑安定させる。その後、出力電圧が電流分流器８ｇにブリッジ接続し、分流の安定電流出力８ｈをランプ２に供給する。
【００４１】
回路出力端に過電圧保護回路８ｉ、過電流保護回路８ｊ、高温を検知し、ランプを保護することに用いる過温度保護回路８ｍ、及び定電流基準回路８ｋ等から構成されるフィードバック補償回路を設置し、回路補償を経た後に温度制御部材８ａを経由し、ランプ２の温度を自動検出し、その後、パルス幅調整回路８Ｎを再度利用し、交流電圧のスイッチング周波数を自動調整し、出力電圧値を調整する。ランプ２が電圧フローティングにより電圧の急激な変化を招く時、出力電流を即刻調整することができ、電流の不安定によりランプ２の輝度が不足することを回避し、且つ温度制御部材８ａを利用し、照明ランプ２の温度を自動検出し、ランプ２の使用寿命を確保することができる。
【００４２】
図１５及び図１６を参照するとともに、図２を参照し、伸縮装置６の伸縮ロッド６２は、蛇管９に置き換えることもでき、使用者が蛇管９を湾曲させた時、光線投射を変化させることができる。蛇管９を有する伸縮装置６の取り付け方式は、前述したとおりであるので、ここでは再度記載しない。
【符号の説明】
【００４３】
１  ランプブラケット構造
１０  収容溝
１１  接合部
１２  接合孔
１３  ロック固定部
１４  ロック結合部
１５  第１電気ケーブル
２  ランプ
２０  導電装置
２００  導電部
２０２  上蓋体
２０１  第３電気ケーブル
２０３  固定ソケット
２０４  マスク体
２０５  駆動装置
２０５０  温度制御部材
２１  発光装置
２１０  固定部材
２１１  導熱板
２１２  発光部材
２１３  光学膜
２１４  内蓋体
２３，２３’  防水パッドリング
２２  透光装置
２２０，２２０’  光学膜
２２１  下蓋体
３  ランプ
３０  導電装置
３００  導電部
３０１  第４電気ケーブル
３０２  固定ソケット
３０３  上蓋体
３０４  マスク体
３０５  駆動装置
３０５０  温度制御部材
３１  発光装置
３１０  発光部材
３１１  固定部材
３２  透光装置
４  ランプ
４０  導電装置
４００  導電部
４０１  第５電気ケーブル
４０２  上蓋体
４０３  駆動装置
４０３０  温度制御装置
４０４  内マスク体
４０５  外マスク体
４１  発光装置
４１０  発光部材
４１１  第６電気ケーブル
４１１２  光学膜
４２  透光装置
４２０，４２０’  光学膜
４２１  下蓋体
４３  防水パッドリング
５  ランプ
５０  導電装置
５００  導電部
５０１  第７電気ケーブル
５０２  上蓋体
５０３  駆動装置
５０３０  温度制御部材
５１  発光装置
５１０  マスク体
５１１  発光部材
５１２  上蓋体
５１３  光学膜
５２  透光装置
５２０  絶縁板
５２１  導熱板
５２２，５２２’   光学膜
５２３  下蓋体
６  伸縮装置
６０  導電体
６１  リベット部
６２  伸縮ロッド
６２０  伸縮部材
６２１  偏心部
６２２  偏心軸部材
６２２０  係止部
６２３  偏心環
６２３０  嵌合部
６３  連結部
６４  ランプソケット
６４０  ねじ山部
６５  第２電気ケーブル
７  支持構造
８ａ  温度制御部材
８ｂ  整流倍圧回路
８ｄ  変換回路
８ｅ  フィルタインダクタ
８ｆ  フィルタコンデンサ
８ｇ  電流分流器
８ｈ  安定電流出力
８ｉ  過電圧保護回路
８ｊ  過電流保護回路
８ｍ  過温度保護回路
８ｋ  定電流基準回路
８Ｎ  パルス幅調整回路
９  蛇管
【図１】
0003177211.tif 000003
【図２】
0003177211.tif 000004
【図３】
0003177211.tif 000005
【図４】
0003177211.tif 000006
【図５】
0003177211.tif 000007
【図６】
0003177211.tif 000008
【図７】
0003177211.tif 000009
【図８】
0003177211.tif 000010
【図９】
0003177211.tif 000011
【図１０】
0003177211.tif 000012
【図１１】
0003177211.tif 000013
【図１２】
0003177211.tif 000014
【図１３】
0003177211.tif 000015
【図１４】
0003177211.tif 000016
【図１５】
0003177211.tif 000017
【図１６】
0003177211.tif 000018